(57)【要約】【課題】転倒防止部材に手間がかかることがなく、また、壁を傷つけてしまうことや、外観性を損なうことのない、薄型表示装置の転倒防止装置を実現すること。【解決手段】薄型の表示部と、該表示部を支える脚部と、該脚部の下端側を保持した基座部とを備えた薄型表示装置のための転倒防止装置において、上方から見た投影面積が前記基座部の面積より広く、かつ、その上面部の高さが前記基座の高さよりも高い転倒防止部材の内部に、前記基座部を収納する。【選択図】図２
2007279227.tif 000002
【特許請求の範囲】
【請求項１】
薄型の表示部と、該表示部を支える脚部と、該脚部の下端側を保持した基座部とを備えた薄型表示装置のための転倒防止装置であって、
上方から見た投影面積が前記基座部の面積より広く、かつ、その上面部の高さが前記基座部の高さよりも高い転倒防止部材の内部に、前記基座部を収納したことを特徴とする薄型表示装置の転倒防止装置。
【請求項２】
請求項１に記載の薄型表示装置の転倒防止装置において、
前記転倒防止部材には、前記脚部が干渉しないように切り欠きが設けられたことを特徴とする薄型表示装置の転倒防止装置。
【請求項３】
請求項１または２に記載の薄型表示装置の転倒防止装置において、
前記転倒防止部材の内部には、少なくとも前記基座部との隙間を埋める緩衝材が設けられたことを特徴とする薄型表示装置の転倒防止装置。
【請求項４】
請求項１ないし３の何れか１項に記載の薄型表示装置の転倒防止装置において、
前記転倒防止部材はそれ単独で持ち運び可能とされ、前記転倒防止部材の下部は、前記基座部と同一載置面に設置されることを特徴とする薄型表示装置の転倒防止装置。
【請求項５】
請求項１ないし３の何れか１項に記載の薄型表示装置の転倒防止装置において、
前記転倒防止部材は、既存のシステムラックまたはテレビ台などの電子機器が載置可能な家具の上面部に、後付けで一体に取り付けられたものであることを特徴とする薄型表示装置の転倒防止装置。
【請求項６】
請求項４または５に記載の薄型表示装置の転倒防止装置において、
前記転倒防止部材は、設置状態ではボックス状を呈することを特徴とする薄型表示装置の転倒防止装置。
【請求項７】
請求項１ないし３の何れか１項に記載の薄型表示装置の転倒防止装置において、
前記転倒防止部材は、システムラックまたはテレビ台などの電子機器が載置可能な家具と予め一体に形成されたものであることを特徴とする薄型表示装置の転倒防止装置。
【発明の詳細な説明】
【技術分野】
【０００１】
本発明は、液晶ディスプレイやプラズマディスプレイなどの薄型のディスプレイを用いた、薄型テレビジョン装置や薄型モニタ装置などの薄型表示装置の転倒防止装置に関する。
【背景技術】
【０００２】
液晶ディスプレイやプラズマディスプレイなどの薄型のディスプレイ用いた薄型表示装置は、薄型の表示部と、該表示部を支える脚部と、該脚部の下端側を保持した基座部（平板状の載置ベース部）とで構成されており、脚部と基座部とは別部材で構成されていたり、脚部と基座部とは一体物で構成されていたりする。
【０００３】
これらの薄型表示装置は、ＣＲＴ（ブラウン管）表示装置と較べると、その構造上、パネル面の前方側または背面側へ転倒しやすい。また、一般的に、薄型表示装置は、システムラックやテレビ台などに載置されることが多く、振動や衝撃によって薄型表示装置がパネル面前方側へ転倒すれば、パネルが破損するだけでなく、薄型表示装置が人に衝突することや、あるいは、破損したガラスの破片により、人が怪我をする危険性がある。
【０００４】
テレビジョン受像機の転倒防止に関しては、従来においても様々な技術が開発されている。たとえば、テレビジョン受像機を壁に紐で固定したり（特許文献１参照）、テレビジョン受像機とテレビ台とをスライドするストッパーで固定したり（特許文献２参照）、バンド等でテレビジョン受像機とテレビ台とを固定する（特許文献３参照）などの技術がある。
【０００５】
また、平面ディスプレイ（薄型表示装置）の壁への取り付けに関しては、隅壁（部屋のコーナー部）に平面ディスプレイを取り付けるようにして、部屋の空間を有効利用できるようにした技術（特許文献４）が提案されている。
【特許文献１】特開平９−３７１９１号公報
【特許文献２】特開２００４−８０７００号公報
【特許文献３】実用新案登録第３０９８２９８号公報
【特許文献４】特開平１１−１８０２２号公報
【発明の開示】
【発明が解決しようとする課題】
【０００６】
しかしながら、特許文献１〜４に開示されたような手法では、設置に手間がかかるいう問題がある。また、壁への固定では、壁を傷つけてしまう上、表示装置の設置場所を手軽に変えることができないし、テレビジョン受像機前後のストッパー、バンドによる固定では、見た目にも目立ち、外観が損なわれるなどの問題がある。
【０００７】
本発明は上記の点に鑑みなされたもので、その目的とするところは、設置に手間がかかることがなく、また、壁を傷つけてしまうことや、外観性を損なうことのない、薄型表示装置の転倒防止装置を実現することにある。また、本発明の目的とするところは、ユーザが薄型表示装置を設置する場所を任意に選択あるいは変更することが手軽に可能な、薄型表示装置の転倒防止装置を実現することにある。
【課題を解決するための手段】
【０００８】
本発明は上記した目的を達成するため、薄型の表示部と、該表示部を支える脚部と、該脚部の下端側を保持した基座部とを備えた薄型表示装置のための転倒防止装置において、上方から見た投影面積が前記基座部の面積より広く、かつ、その上面部の高さが前記基座の高さよりも高い転倒防止部材の内部に、前記基座部を収納する、構成をとる。  
また、前記転倒防止部材には、前記脚部が干渉しないように切り欠きが設けられる。  
また、前記転倒防止部材の内部には、少なくとも前記基座部との隙間を埋める緩衝材が設けられる。  
また、前記転倒防止部材はそれ単独で持ち運び可能とされ、前記転倒防止部材の下部は、前記基座部と同一載置面に設置される。  
また、前記転倒防止部材は、既存のシステムラックまたはテレビ台などの電子機器が載置可能な家具の上面部に、後付けで一体に取り付けられたものとされる。  
また、前記転倒防止部材は、設置状態ではボックス状を呈するものとされる。  
また、前記転倒防止部材は、システムラックまたはテレビ台などの電子機器が載置可能な家具と予め一体に形成されたものとされる。
【発明の効果】
【０００９】
本発明によれば、上方から見た投影面積が薄型表示装置の基座部の面積より広く、かつ、その上面部の高さが基座の高さよりも高い転倒防止部材の内部に、基座部を収納するので、たとえ転倒防止部材を載置面に対して固定しない構成としても、転倒防止部材の載置面への投影面積が広く、載置面との接触部位の間のスパンが長いことと、転倒防止部材にはある程度の重量があることとが相俟って、転倒防止部材が浮き上がることは殆どなくなり、薄型表示装置の基座部が大きく浮き上がって薄型表示装置がパネル面の前方側もしくは背面側へ転倒することを、可及的に抑止でき、しかも、室内や家具を傷つけることも一切ない転倒防止装置とすることができる。また、転倒防止部材には、薄型表示装置の脚部が干渉しないように切り欠きが設けられているので、薄型表示装置の基座部を簡単・容易に転倒防止部材の内部に出し入れすることができ、薄型表示装置の設置にほとんど手間がかからない。また、転倒防止部材の内部には、少なくとも基座部との間の隙間を埋める緩衝材が設けられているので、薄型表示装置が不安定な状態に陥る虞を低減できる。また、転倒防止部材をそれ単独で持ち運び可能なものにすれば、薄型表示装置に床面にじか置したり、システムラック上やテレビ台に載置したりするなど、設置場所の自由度が高まり、ユーザが薄型表示装置を設置する場所を任意に選択あるいは変更することが、手軽に行える転倒防止装置を実現でき、ユーザの利便性が大いに高まる。また、転倒防止部材を、設置状態ではボックス状となるようにしておけば、見映えを損なうこともない。また、転倒防止部材を、既存のシステムラックまたはテレビ台などの電子機器が載置可能な家具の上面部に、後付けで一体に取り付けられたものとしたり、転倒防止部材を、システムラックまたはテレビ台などの電子機器が載置可能な家具と予め一体に形成されたものとすれば、システムラックまたはテレビ台などの設置面積が広くかつ重量の嵩む構造物により、薄型表示装置の転倒をより確実に防止することが可能となり、さらに、転倒防止を必要としない場合には、システムラックまたはテレビ台などと一体の転倒防止部材の上面部に、任意の物品を載置することも可能となる。
【発明を実施するための最良の形態】
【００１０】
以下、本発明の実施の形態を、図面を用いて説明する。
【００１１】
＜第１実施形態＞
図１〜図４は、本発明の第１実施形態による薄型表示装置の転倒防止装置に係り、図１は、本第１実施形態を含み後述する第２、第３実施形態においても適用される薄型表示装置を示す斜視図である。
【００１２】
図１において、１は、液晶ディスプレイやプラズマディスプレイなどの薄型のディスプレイ用いた薄型テレビジョン装置や薄型モニタ装置などの薄型表示装置、２は、薄型表示装置１の薄型の表示部、３は、表示部２を支える薄型表示装置１の脚部、４は、脚部２の下端側を保持した薄型表示装置１の基座部（平板状の載置ベース部）である。
【００１３】
図２は、本第１実施形態で用いる転倒防止部材に薄型表示装置１を装着した状態を示す斜視図、図３は、図２の状態の平面図、図４は、図２の状態の要部切断側面図である。
【００１４】
図２〜図４において、５は、その底面側が開放された薄いボックス状の転倒防止部材で、４側面を構成する側板部６と、上板部７とを、含んで構成されている。薄いボックス状の転倒防止部材５は、上方から見た投影面積が、薄型表示装置１の基座部４の面積より広くなっているとともに、上板部７の裏面の高さは、基座部４の高さよりも高くなっているる。また、転倒防止部材５の背面側の側板部６には、薄型表示装置１の基座部４の転倒防止部材５内への出し入れを許容する開口部８が形成されており、転倒防止部材５の上板部７には、基座部４を転倒防止部材５内へ出し入れする際に、脚部３が干渉しないようにようにする切り欠き９が形成されている。さらに、転倒防止部材５の前方側の内部には、転倒防止部材５の内面と基座部４との間の隙間を充填するための緩衝材１０が配置されている。なお、本例では、転倒防止部材５の背面にも一部側板部６を設けているが、転倒防止部材５の背面には側板部を設けず、転倒防止部材５の背面を完全な開放面としてもよい。また、緩衝材１０は、基座部４のみではなく、転倒防止部材５に入り込んだ脚部３と転倒防止部材５の内面との間の隙間をも充填するような構成としてもよい。
【００１５】
本第１実施形態の転倒防止部材５は持ち運び可能となっており、この転倒防止部材５を任意の載置面に設置可能なようになっている。そして、転倒防止部材５を載置面に設置した際に、多少の振動や衝撃などでは移動しないように、ある程度の重量もつように構成されている。
【００１６】
本第１実施形態では、薄型表示装置１を、先に、床面上やテーブル上やシステムラックの天板上やテレビ台上などの任意の設置面に載置した状態、もしくは、転倒防止部材５を、先に、床面上や卓上やシステムラックの天板上やテレビ台上などの任意の設置面に載置した状態として、転倒防止部材５の内部に薄型表示装置１の基座部４を位置付け、かつ、基座部４が緩衝材１０と接触するように、両者１、５を組み合わせることで、転倒防止部材５に薄型表示装置１を装着した状態とする。これにより、薄型表示装置１の基座部４を、基座部４よりも面積の広い転倒防止部材５が上部から覆う形となり、したがって、転倒防止部材５の載置面への投影面積が広く、載置面との接触部位の間のスパンが長いことと、転倒防止部材にはある程度の重量があることとが相俟って、転倒防止部材５が浮き上がることは殆どなくなり、薄型表示装置１の基座部４が大きく浮き上がって薄型表示装置１がパネル面の前方側もしくは背面側へ転倒することを、可及的に抑止することが可能となる。また、転倒防止部材５の内部には、転倒防止部材５の内面と基座部４との間の隙間を埋める緩衝材１０が配置されているので、転倒防止部材５の内面と基座部４との間の隙間がなくなることで、より転倒防止に効果を発揮する。また、転倒防止部材５はそれ単独で持ち運び可能であるので、薄型表示装置１に床面にじか置したり、システムラック上やテレビ台に載置したりするなど、設置場所の自由度が高まり、ユーザが薄型表示装置１を設置する場所を任意に選択あるいは変更することが、手軽に行える。また、転倒防止部材５は、薄いボックス状を呈しているので、システムラックの天板上やテレビ台上など設置しても、見映えを損なうこともなく、薄型表示装置１の転倒防止に使用しないときは、任意の物品を載置する物置台としても使用できる。さらに、壁面などを利用する転倒防止構造ではないので、室内を傷付けることもない。
【００１７】
ここで、上述した第１実施形態では、転倒防止部材５は任意の設置面上に単に設置するとしたが、転倒防止部材５は、既存のシステムラックの天板上や既存のテレビ台上などに、適宜の手段（例えば、接着剤、両面接着テープ、止めネジなど）によって固定する構成としてもよい。
【００１８】
＜第２実施形態＞
次に、本発明の第２実施形態に係る薄型表示装置の転倒防止装置を、図５を用いて説明する。本第２実施形態は、前記した第１実施形態の転倒防止部材５の機能を、システムラックの一部として予め一体に形成したものである。
【００１９】
図５の（ａ）は、本発明の第２実施形態に係る薄型表示装置の転倒防止装置の要部切断側面図である。図５の（ａ）において、１１はシステムラック、１２は、システムラック１１の天板、１３は、天板１２のすぐ下のシステムラック１１の載置板、１４は、薄型表示装置１の基座部４が天板１２と載置板１３との間の空間を出入りすることを許容するシステムラック１１の背面開口、１５は、基座部４を天板１２と載置板１３との間の空間内へ出し入れする際に、薄型表示装置１の脚部３が干渉しないようにようにするために天板１２に形成された切り欠き、１６は、天板１２と載置板１３とを連結したシステムラック１１の前側板、１７は、載置板１３に載置された基座部４と、天板１２、前側板１６の内面との間の隙間を充填するための緩衝材である。
【００２０】
本第２実施形態でも、先と略同様に、背面開口１４、切り欠き１５を利用して、薄型表示装置１の基座部４を載置板１３上に載置するとともに、基座部４が緩衝材１７と接触するように、薄型表示装置１をシステムラック１１に組み付けることで、システムラック１１に薄型表示装置１を装着した状態とする。これにより、本第２実施形態では重量のあるシステムラック１１が薄型表示装置１の基座部４を保持することになり、薄型表示装置１がパネル面の前方側もしくは背面側へ転倒することを、確実に防止できるようになっている。なお、システムラック１１を薄型表示装置１の転倒防止に使用しないときは、システムラック１１の天板１２には、薄型表示装置１の脚部３をスライド移動させるための切り欠き１５が見えることになるが、切り欠き１５は小面積であるので見映えを損なうことはなく、また、天板１２は任意の物品（例えばＣＲＴディスプレイなど）を載置する物置台として使用できる。
【００２１】
図５の（ｂ）は、システムラック１１’上に薄型表示装置１を単に載置しただけの従来構成を示しており、この場合には、薄型表示装置１はパネル面の前方側もしくは背面側へ転倒しやすい。
【００２２】
＜第３実施形態＞
次に、本発明の第３実施形態に係る薄型表示装置の転倒防止装置を、図６を用いて説明する。本第３実施形態は、前記した第１実施形態の転倒防止部材５の機能を、テレビ台の一部として予め一体に形成したものである。
【００２３】
図６の（ａ）は、本発明の第３実施形態に係る薄型表示装置の転倒防止装置の要部切断側面図である。図６の（ａ）において、２１はテレビ台、２２は、テレビ台２１の天板、２３は、天板２２のすぐ下のテレビ台２１の載置板、２４は、薄型表示装置１の基座部４が天板２２と載置板２３との間の空間を出入りすることを許容するテレビ台２１の背面開口、２５は、基座部４を天板２２と載置板２３との間の空間内へ出し入れする際に、薄型表示装置１の脚部３が干渉しないようにようにするために天板２２に形成された切り欠き、２６は、天板２２と載置板２３とを連結したテレビ台２１の前側板、２７は、載置板２３に載置された基座部４と、天板２２、前側板２６の内面との間の隙間を充填するための緩衝材である。
【００２４】
本第３実施形態でも、先と略同様に、背面開口２４、切り欠き２５を利用して、薄型表示装置１の基座部４を載置板２３上に載置するとともに、基座部４が緩衝材２７と接触するように、薄型表示装置１をテレビ台２１に組み付けることで、テレビ台２１に薄型表示装置１を装着した状態とする。これにより、本第３実施形態では重量のあるテレビ台２１が薄型表示装置１の基座部４を保持することになり、薄型表示装置１がパネル面の前方側もしくは背面側へ転倒することを、確実に防止できるようになっている。なお、テレビ台２１を薄型表示装置１の転倒防止に使用しないときは、テレビ台２１の天板２２には、薄型表示装置１の脚部３をスライド移動させるための切り欠き２５が見えることになるが、切り欠き２５は小面積であるので見映えを損なうことはなく、また、天板２２は任意の物品（例えばＣＲＴディスプレイなど）を載置する物置台として使用できる。
【００２５】
図６の（ｂ）は、テレビ台２１’上に薄型表示装置１を単に載置しただけの従来構成を示しており、この場合には、薄型表示装置１はパネル面の前方側もしくは背面側へ転倒しやすい。
【図面の簡単な説明】
【００２６】
【図１】本発明の各実施形態において適用される薄型表示装置を示す斜視図である。
【図２】本発明の第１実施形態に係る薄型表示装置の転倒防止装置の斜視図である。
【図３】本発明の第１実施形態に係る薄型表示装置の転倒防止装置の平面図である。
【図４】本発明の第１実施形態に係る薄型表示装置の転倒防止装置の要部切断側面図である。
【図５】本発明の第２実施形態に係る薄型表示装置の転倒防止装置と、従来構成とを対比して示す説明図である。
【図６】本発明の第３実施形態に係る薄型表示装置の転倒防止装置と、従来構成とを対比して示す説明図である。
【符号の説明】
【００２７】
１  薄型表示装置
２  表示部
３  脚部
４  基座部
５  転倒防止部材
６  側板部
７  上板部
８  開口部
９  切り欠き
１０  緩衝材
１１  システムラック
１２  天板
１３  載置板
１４  背面開口
１５  切り欠き
１６  前側板
１７  緩衝材
２１  テレビ台
２２  天板
２３  載置板
２４  背面開口
２５  切り欠き
２６  前側板
２７  緩衝材
【図１】
2007279227.tif 000003
【図２】
2007279227.tif 000004
【図３】
2007279227.tif 000005
【図４】
2007279227.tif 000006
【図５】
2007279227.tif 000007
【図６】
2007279227.tif 000008